(57)【特許請求の範囲】
【請求項１】
順次走査方式の画面表示装置に任意のキャラクタを表示する画面表示回路であって、
キャラクタごとにキャラクタ情報を記憶する第１のキャラクタ情報記憶手段と、
３原色ごとにキャラクタ情報を記憶する第２のキャラクタ情報記憶手段と、
キャラクタコード、色データ、および、キャラクタ単位およびドット単位のいずれか一方を表示単位として選択する選択ビットを有する表示用データを出力する表示データ出力手段と、
前記表示データ出力手段から出力された前記キャラクタコードを受けると、前記選択ビットに応じて、前記第１および第２のキャラクタ情報記憶手段のいずれか一方のアドレスを指定するアドレス指定手段と、
前記指定されたアドレスに応答して、前記第１および第２のキャラクタ情報記憶手段のいずれか一方から出力された前記キャラクタ情報をシフトするためのシフト手段と、
前記シフト手段に配され、前記選択ビットに応じて、前記キャラクタごとのキャラクタ情報をシリアルに出力するか、あるいは前記３原色ごとのキャラクタ情報を各色ごとに出力するかを切換える第１の切換手段と、
前記表示データ出力手段から出力された前記色データと前記シフト手段からシリアルに出力された前記キャラクタごとのキャラクタ情報との論理積を求める論理積手段と、
前記選択ビットに応じて、前記論理積手段から前記論理積を出力するか、あるいは前記第１の切換手段から出力された前記各色ごとのキャラクタ情報を出力するかを切換える第２の切換手段とを備える、画面表示回路。
【請求項２】
前記アドレス指定手段は、前記選択ビットに応じて、前記第１のキャラクタ情報記憶手段のアドレスを発生するか、あるいは前記第２のキャラクタ情報記憶手段のアドレスを発生するかを切換える第３の切換手段を含む、請求項１に記載の画面表示回路。
【発明の詳細な説明】
【０００１】
【発明の属する技術分野】
この発明は画面表示回路に関し、特に、表示文字のフォントデータに着色を行なうような画面表示回路に関する。
【０００２】
【従来の技術】
テレビジョン受像機においては、チャネルや種々の動作状態を示す文字やパターンなどを表示させている。
【０００３】
図５は従来の表示装置のブロック図であり、図６は従来例における文字フォントの構成例を示す図である。
【０００４】
図５において、同期信号入力回路１には同期信号が入力され、同期信号のうちの水平同期信号が発振回路２とＨカウンタ３とに与えられる。発振回路２は１水平同期内で多数のパルス信号を発生してタイミングジェネレータ４に与える。タイミングジェネレータ４において各種タイミング信号が発生され、表示用データＲＡＭ９とキャラクタＲＯＭ１２とに与えられる。Ｈカウンタ３は水平同期信号を計数し、その計数出力は表示位置検出回路５に与えられる。
【０００５】
一方、入力制御回路６には表示のための制御信号が入力され、その入力された制御信号によって、アドレス制御回路７が表示用データＲＡＭ９のアドレスを指定し、データ制御回路１０は表示用データＲＡＭ９を読出状態に制御する。表示制御レジスタ８は表示すべき文字などの文字コードや色データを表示用データＲＡＭ９に与える。また、表示制御レジスタ８は表示位置を示すデータを表示位置検出回路５に与える。表示位置検出回路５はＨカウンタ３の計数出力により表示位置に対応したアドレスを検出して読出アドレス制御回路１１に与える。読出アドレス制御回路１１はそのアドレスの読出アドレス信号を表示用データＲＡＭ９に与える。表示用データＲＡＭ９はキャラクタＲＯＭ１２にアドレス信号を与える。キャラクタＲＯＭ１２はこのアドレス信号に応じて対応の字体フォントのビットをパラレルに読出し、シフトレジスタ１４はそのパラレルなビットを順次シフトしてシリアルな文字データとして表示制御回路１５に与える。表示制御回路１５はそのフォントに指定された色を付加して画面上に所望の文字やパターンを表示させる。
【０００６】
１つの字体フォントは、たとえば図６に示すように、ｌ×ｍドットの画素で構成されており、キャラクタＲＯＭ１２がこの字体フォントをｎ字分内蔵しているものとすれば、キャラクタＲＯＭ１２の容量はｌ×ｍ×ｎドット相当になる。
【０００７】
【発明が解決しようとする課題】
上述の図５に示した従来の表示装置では、文字単位に着色しており、任意のドット単位や１ライン単位で着色することができなかった。たとえば、文字の周囲のドットのみを異なる色で着色できれば文字をより鮮やかに表示できるが、そのような方法を採用できなかった。
【０００８】
それゆえに、この発明の主たる目的は、従来の機能に付加して、ドット単位または１ライン単位で着色できるようにした画面表示回路を提供することである。
【０００９】
【課題を解決するための手段】
請求項１に係る発明は、順次走査方式の画面表示装置に任意のキャラクタを表示する画面表示回路であって、キャラクタごとにキャラクタ情報を記憶する第１のキャラクタ情報記憶手段と、３原色ごとにキャラクタ情報を記憶する第２のキャラクタ情報記憶手段と、キャラクタコード、色データ、および、キャラクタ単位およびドット単位のいずれか一方を表示単位として選択する選択ビットを有する表示用データを出力する表示データ出力手段と、表示データ出力手段から出力されたキャラクタコードを受けると、選択ビットに応じて、第１および第２のキャラクタ情報記憶手段のいずれか一方のアドレスを指定するアドレス指定手段と、指定されたアドレスに応答して、第１および第２のキャラクタ情報記憶手段のいずれか一方から出力されたキャラクタ情報をシフトするためのシフト手段と、シフト手段に配され、選択ビットに応じて、キャラクタごとのキャラクタ情報をシリアルに出力するか、あるいは３原色ごとのキャラクタ情報を各色ごとに出力するかを切換える第１の切換手段と、表示データ出力手段から出力された色データとシフト手段からシリアルに出力されたキャラクタごとのキャラクタ情報との論理積を求める論理積手段と、選択ビットに応じて、論理積手段から論理積を出力するか、あるいは第１の切換手段から出力された各色ごとのキャラクタ情報を出力するかを切換える第２の切換手段とを備えて構成される。
請求項２に係る発明は、請求項１に係る画面表示回路であって、アドレス指定手段は、選択ビットに応じて、第１のキャラクタ情報記憶手段のアドレスを発生するか、あるいは第２のキャラクタ情報記憶手段のアドレスを発生するかを切換える第３の切換手段を含む。
【００１１】
【発明の実施の形態】
図１はこの発明の１実施形態を示すブロック図である。この実施形態は、図５に示した従来例におけるアドレス制御回路７，表示用データＲＡＭ９，キャラクタＲＯＭ１２，シフトレジスタ１４，表示制御回路１５に代えて、キャラクタＲＯＭ用アドレス発生回路７１と、表示用データＲＡＭ９１と、キャラクタＲＯＭ１２２と、シフトレジスタ１４１，１４２，１４３と、ＡＮＤゲート１５１，１５２，１５３とを設け、さらにキャラクタＲＯＭ１２１が設けられる。シフトレジスタ１４１と１４２との間と、シフトレジスタ１４２と１４３との間には、それぞれ、第１の切換手段である切換スイッチ２００，２０１が設けられる。切換スイッチ２００，２０１は、後述するように、表示用データＲＡＭ９１に含まれるＡ／Ｂ切換ビットに応じて、Ａ側およびＢ側のいずれか一方に選択的に切換えられる。詳細には、切換スイッチ２００，２０１はＡ側に切換えられると、シフトレジスタ１４１と１４２と１４３とからそれぞれシリアルに変換されたキャラクタデータが出力される。そして、その出力されたキャラクタデータは、論理積手段であるＡＮＤゲート１５１，１５２，１５３の一方入力端に与えられる。ＡＮＤゲート１５１，１５２，１５３の他方入力端には、表示用データＲＡＭ９１からＲ，Ｇ，Ｂの色信号がそれぞれ与えられる。ＡＮＤゲート１５１，１５２，１５３の出力は、第２の切換手段である切換スイッチ２０２，２０３，２０４のＡ入力に与えられる。一方、切換スイッチ２０２，２０３，２０４のＢ入力には、切換スイッチ２００のＢ側、切換スイッチ２０１のＢ側、シフトレジスタ１４３の出力がそれぞれ接続される。切換スイッチ２０２は、後述するように、表示用データＲＡＭ９１に含まれるＡ／Ｂ切換ビットに応じて、Ａ入力およびＢ入力のいずれか一方とＲ出力とを選択的に結合する。切換スイッチ２０３も同様に、Ａ／Ｂ切換ビットに応じて、Ａ入力およびＢ入力のいずれか一方とＧ出力とを選択的に結合する。切換スイッチ２０４も同様に、Ａ／Ｂ切換ビットに応じて、Ａ入力およびＢ入力のいずれか一方とＢ出力とを選択的に結合する。
【００１２】
キャラクタＲＯＭ用アドレス発生回路７１は、表示用データＲＡＭ９１から出力される文字コードデータに基づいて、キャラクタＲＯＭ１２１，１２２のアドレスを指定するキャラクタＲＯＭアドレス信号を発生する。キャラクタＲＯＭ用アドレス発生回路７１は、１／４分周器７２と、１／３分周器７３と、第３の切換手段である切換スイッチ２０５とを含む。切換スイッチ２０５は、表示用データＲＡＭ９１に含まれるＡ／Ｂ切換ビットに応じて、Ａ側およびＢ側のいずれか一方に選択的に切換えられる。より詳細には、切換スイッチ２０５がＡ側に切換えられたことに応じて、１／４分周器７２の出力は、１／３分周器７３の入力に与えられる。なお、１／３分周器７３の出力は、キャラクタＲＯＭアドレス信号として、キャラクタＲＯＭ１２１に与えられる。一方、切換スイッチ２０５がＢ側に切換えられたことに応じて、１／４分周器７２の出力は、そのままキャラクタＲＯＭ用アドレス発生回路７１から出力される。１／４分周器７２の出力は、キャラクタＲＯＭアドレス信号として、キャラクタＲＯＭ１２２に与えられる。キャラクタＲＯＭ１２１は、図５に示す従来のキャラクタＲＯＭ１２と同じようにデータが配置されており、キャラクタＲＯＭ１２２は、赤（Ｒ），緑（Ｇ），青（Ｂ）の各データごとに配置されている。シフトレジスタ１４１はＲに対応しており、シフトレジスタ１４２はＧに対応しており、シフトレジスタ１４３はＢに対応している。表示用データＲＡＭ９１は、表示用データを出力する表示用データ出力手段を構成する。表示用データＲＡＭ９１は、図１に示すように、文字コードデータと、色データと、切換スイッチ２００〜２０５をＡ側に切換えるか、あるいはＢ側に切換えるかを設定するためのＡ／Ｂ切換ビットを含んでいる。
【００１３】
図２はこの発明の一実施形態における文字シォントの構成例を示す図である。この実施形態では、１２×１６ドットの画素で構成された１つの字体フォントで、マトリックス内の数字（ｌ，ｍ）はそのドットが１行ｍ列のドットであることを示す。
【００１４】
次に、図１に示した画面表示回路の動作について説明する。まず、従来の表示装置と同じ文字単位の表示をする場合、表示用データＲＡＭ９１のＡ／Ｂ切換ビットがＡ選択される。Ａ／Ｂ切換ビットがＡ選択されたことに応答して、図示しない制御回路によって、切換スイッチ２００〜２０５がＡ側に切換えられる。そして、従来例と同様にして、水平位置決めクロック信号がキャラクタＲＯＭ用アドレス発生回路７１の１／４分周器７２と１／３分周器７３とによって分周される。これにより、表示用データＲＡＭ９１の文字コードデータに対応したキャラクタＲＯＭアドレス信号がキャラクタＲＯＭ１２１に与えられる。そして、１２ビット分のデータがキャラクタＲＯＭ１２１からパラレルにシフトレジスタ１４１，１４２および１４３に同時に読込まれる。ここで、切換スイッチ２００，２０１はそれぞれＡ側に切換えられているので、シフトレジスタ１４１，１４２，１４３は、直列に接続された状態となり、１２ビット分のデータは、１２ビットのシリアルデータとしてキャラクタＲＯＭ１２１のドット（１，１）から順にＡＮＤゲート１５１，１５２，１５３の一方入力端に与えられる。ＡＮＤゲート１５１，１５２および１５３の他方入力端には、表示用データＲＡＭ９１からＲ，Ｇ，Ｂの色信号が与えられているため、シリアルなキャラクタデータと色信号との論理積が求められ、ＡＮＤゲート１５１，１５２および１５３の出力からそれぞれ出力される。ＡＮＤゲート１５１，１５２および１５３の出力は、切換スイッチ２０２，２０３および２０４のＡ入力を介して、Ｒ，Ｇ，Ｂのデータとして出力される。したがって、この場合、着色は文字単位で行なわれる。
【００１５】
次に、表示用データＲＡＭ９１のＡ／Ｂ切換ビットをＢに選択した場合について説明する。この場合、切換スイッチ２００〜２０５は、Ａ／Ｂ切換ビットがＢ選択されたことに応答して、図示しない制御回路によって、Ｂ側に切換えられる。表示用データＲＡＭ９１からの読出は従来例と同じであるが、キャラクタＲＯＭ用アドレス発生回路７１の切換スイッチ２０５がＢ側に切換えられているため、水平位置決め用クロック信号が１／４分周器７２で分周されて、キャラクタＲＯＭアドレス信号としてキャラクタＲＯＭ１２２に出力される。これにより、キャラクタＲＯＭ１２２から別々に格納されているＲ，Ｇ，Ｂごとの４ビットのデータがパラレルに読出されて、それぞれシフトレジスタ１４１，１４２，１４３に格納される。このとき、切換スイッチ２００，２０１はＢ側に切換えられているため、各シフトレジスタ１４１，１４２，１４３からＲ，Ｇ，Ｂごとにキャラクタデータが読出される。読出されたＲ，Ｇ，Ｂごとのキャラクタデータは、切換スイッチ２０２，２０３，２０４のＢ入力にそれぞれ与えられる。切換スイッチ２０２，２０３，２０４もそれぞれＢ側に切換えられているため、各シフトレジスタ１４１，１４２および１４３から出力されたＲ，Ｇ，Ｂの各ドットは、直接Ｒ，Ｇ，Ｂの出力となる。したがって、この場合、着色はドット単位で行なわれる。ただし、４ビットでデータシフトが完了してしまうため、４ビットごとにシフトレジスタ１４１，１４２，１４３への転送が必要になる。  以上のように、この発明の画面表示回路によれば、Ａ／Ｂ切換ビットに応じて、第１〜第３の切換手段である切換スイッチ２００〜２０５の切換え動作を制御することにより、従来の文字単位の着色に加えて、ドット単位の着色をも実現することができる。
【００１６】
図３はこの発明の他の実施形態を示すブロック図であり、図４はこの発明の他の実施形態における文字フォントの構成例を示す図である。
【００１７】
図３において、図５に示した従来例のキャラクタＲＯＭ１２に色指定ＲＡＭ１２Ａが追加される。字体フォントは図４に示すように、横ｍビット，縦１ビットのｍ×１ドットで１文字が構成されている。フォントデータ横１ライン分（ｍドット）はｍビットのキャラクタＲＯＭ１２からなり、この１ライン分のデータごとに赤（Ｒ），緑（Ｇ），青（Ｂ）計３ビットの色指定がされる。この色指定ＲＯＭ１２ＡもＲ，Ｇ，Ｂ各ビットのデータが表示制御回路１５によって、フォントデータ１ライン分のデータを保持しているシフトレジスタ１４出力と論理積をとることにより、１つの字体フォントのフォント出力１ラインごとに着色をすることができる。
【００１８】
【発明の効果】
以上のように、この発明によれば、従来のキャラクタごとの着色回路にドットごとの着色回路を付加するようにしたので、キャラクタデータをドット単位で色指定することができる。また、従来の画像表示回路におけるキャラクタＲＯＭに色指定情報記憶領域を設けることにより、容易に１ライン単位で色指定をすることができる。したがって、この発明によれば、多彩な色指定による画像表示を実現することができる。
【図面の簡単な説明】
【図１】  この発明の一実施形態における画面表示回路を示すブロック図である。
【図２】  この発明の一実施形態における文字の構成例を示す図である。
【図３】  この発明の他の実施形態による画面表示回路を示すブロック図である。
【図４】  この発明の他の実施形態における文字フォントの構成例を示す図である。
【図５】  従来例による画面表示回路を示すブロック図である。
【図６】  従来例における文字フォントの構成例を示す図である。
【符号の説明】
１２  キャラクタＲＯＭ、１２Ａ  色指定ＲＯＭ、１４  シフトレジスタ、１５  表示制御回路、７１  キャラクタＲＯＭ用アドレス発生回路、７２  １／４分周器、７３  １／３分周、９１  表示用データＲＡＭ、１２１，１２２  キャラクタＲＯＭ、１４１，１４２，１４３  シフトレジスタ、１５１，１５２，１５３  ＡＮＤゲート、２００〜２０５  切換スイッチ。
【図１】
0003655706.tif 000002
【図２】
0003655706.tif 000003
【図３】
0003655706.tif 000004
【図４】
0003655706.tif 000005
【図５】
0003655706.tif 000006
【図６】
0003655706.tif 000007